【手続補正書】
【提出日】平成26年7月23日(2014.7.23)
【手続補正１】
【補正対象書類名】特許請求の範囲
【補正対象項目名】全文
【補正方法】変更
【補正の内容】
【特許請求の範囲】
【請求項１】
以下、
ａ）式
【化１】
2013532749.tif 000001
［式中、
Ｒ1及びＲ2の一方は、水素、又はＣ1〜Ｃ20アルキル、ヒドロキシ−Ｃ2〜Ｃ8アルキル、Ｃ2〜Ｃ20アルケニル、Ｃ6〜Ｃ20アリール、Ｃ1〜Ｃ12アルキル−Ｃ6〜Ｃ20アリール、Ｃ6〜Ｃ20アリール−Ｃ1〜Ｃ4アルキル、単環式もしくは二環式Ｃ5〜Ｃ20シクロアルキル、単環式もしくは二環式Ｃ1〜Ｃ12アルキル−Ｃ5〜Ｃ20シクロアルキル、及び単環式もしくは二環式Ｃ5〜Ｃ20シクロアルキル−Ｃ1〜Ｃ4アルキルからなる群から選択される置換基を示し、又は
Ｒ1及びＲ2の双方は、互いに独立して、Ｃ1〜Ｃ20アルキル、ヒドロキシ−Ｃ2〜Ｃ8アルキル、Ｃ2〜Ｃ20アルケニル、Ｃ6〜Ｃ20アリール、Ｃ1〜Ｃ12アルキル−Ｃ6〜Ｃ20アリール、Ｃ6〜Ｃ20アリール−Ｃ1〜Ｃ4アルキル、単環式もしくは二環式Ｃ5〜Ｃ20シクロアルキル、単環式もしくは二環式Ｃ1〜Ｃ12アルキル−Ｃ5〜Ｃ20シクロアルキル、及び単環式もしくは二環式Ｃ5〜Ｃ20シクロアルキル−Ｃ1〜Ｃ4アルキルからなる群から選択される置換基を示し、又は
Ｒ1及びＲ2は、一緒になって、Ｃ2〜Ｃ5アルキレンを示し、かつ
Ｒは、水素、又は部分式
【化２】
2013532749.tif 000002
［式中、Ｒ1'及びＲ2'は、Ｒ1及びＲ2として定義される］の基を示す］の化合物、又はそれらの化合物の塩、
ｂ）ポリマー基材
を含む組成物。
【請求項２】
成分ａ）として、式
【化３】
2013532749.tif 000003
［式中、
Ｒ1及びＲ2は、互いに独立して、Ｃ1〜Ｃ20アルキル、ヒドロキシ−Ｃ2〜Ｃ8アルキル、Ｃ2〜Ｃ20アルケニル、Ｃ6〜Ｃ20アリール、Ｃ1〜Ｃ12アルキル−Ｃ6〜Ｃ20アリール、Ｃ6〜Ｃ20アリール−Ｃ1〜Ｃ4アルキル、単環式もしくは二環式Ｃ5〜Ｃ20シクロアルキル、単環式もしくは二環式Ｃ1〜Ｃ12アルキル−Ｃ5〜Ｃ20シクロアルキル、及び単環式もしくは二環式Ｃ5〜Ｃ20シクロアルキル−Ｃ1〜Ｃ4アルキルからなる群から選択される置換基を示し、
かつＲ1'及びＲ2'は、Ｒ1及びＲ2として定義される］の化合物を含む、請求項１に記載の組成物。
【請求項３】
成分ａ）として、式
【化４】
2013532749.tif 000004
［式中、
Ｒ1及びＲ2は、互いに独立して、Ｃ1〜Ｃ20アルキル、ヒドロキシ−Ｃ2〜Ｃ8アルキル、Ｃ2〜Ｃ20アルケニル、Ｃ6〜Ｃ20アリール、Ｃ1〜Ｃ12アルキル−Ｃ6〜Ｃ20アリール、Ｃ6〜Ｃ20アリール−Ｃ1〜Ｃ4アルキル、単環式もしくは二環式Ｃ5〜Ｃ20シクロアルキル、単環式もしくは二環式Ｃ1〜Ｃ12アルキル−Ｃ5〜Ｃ20シクロアルキル、及び単環式もしくは二環式Ｃ5〜Ｃ20シクロアルキル−Ｃ1〜Ｃ4アルキルからなる群から選択される置換基を示す］の化合物を含む、請求項１に記載の組成物。
【請求項４】
成分ａ）として、化合物（Ｉ）であって、該化合物において、
Ｒ1及びＲ2の双方が、互いに独立して、Ｃ1〜Ｃ20アルキル、Ｃ6〜Ｃ20アリール、Ｃ1〜Ｃ12アルキル−Ｃ6〜Ｃ20アリール、及びＣ6〜Ｃ20アリール−Ｃ1〜Ｃ4アルキルからなる群から選択される置換基を示し、かつ
Ｒが、水素又は部分式（Ａ）の基を示し、
その際、Ｒ1'及びＲ2'は、Ｒ1及びＲ2として定義される化合物、又はそれらの化合物の塩を含む、請求項１に記載の組成物。
【請求項５】
成分ａ）として、化合物（Ｉ）であって、該化合物において、
Ｒ1及びＲ2の双方は、互いに独立して、Ｃ1〜Ｃ8アルキル及びフェニルからなる群から選択される置換基を示し、かつ
Ｒは、水素又は部分式（Ａ）の基を示し、
その際、Ｒ1'及びＲ2'は、Ｒ1及びＲ2として定義される化合物、又はそれらの化合物の塩を含む、請求項１に記載の組成物。
【請求項６】
以下、
ａ）請求項１に記載の化合物（Ｉ）であって、該化合物において、
Ｒ1及びＲ2の双方が、互いに独立して、Ｃ1〜Ｃ8アルキル及びフェニルからなる群から選択される置換基を示し、かつ
Ｒが、水素又は部分式（Ａ）の基を示し、その際
Ｒ1'及びＲ2'が、Ｒ1及びＲ2として定義される化合物、又はそれらの化合物の塩、並びに
ｂ）熱可塑性ポリマー基材
を含む、請求項１に記載の組成物。
【請求項７】
任意の成分として、追加の難燃剤、並びにポリマー安定剤、テトラアルキルピペリジン及びテトラアルキルピペラジン誘導体からなる群から選択される添加剤を含む、請求項１に記載の組成物。
【請求項８】
追加の難燃剤として、メラミンポリホスフェート、アンモニウムポリホスフェート、メラミンアンモニウムホスフェート、メラミンアンモニウムポリホスフェート、メラミンアンモニウムピロホスフェート、メラミンとリン酸との縮合生成物、及びメラミンとリン酸との他の反応生成物、並びにそれらの混合物からなる群から選択される窒素含有化合物を含む、請求項１に記載の組成物。
【請求項９】
さらに、テトラアルキルピペリジン、又は２，２，６，６−テトラアルキルピペリジン−１−オキシド、１−ヒドロキシ−２，２，６，６−テトラアルキルピペリジン、１−アルコキシ−２，２，６，６−テトラアルキルピペリジン、１−アシルオキシ−２，２，６，６−ピペリジン、１−ヒドロキシ−２，２，６，６−テトラアルキルピペラジン、１−アルコキシ−２，２，６，６−テトラアルキルピペラジン及び１−アシルオキシ−２，２，６，６−ピペラジンからなる群から選択されるテトラアルキルピペラジン誘導体を含む、請求項７に記載の組成物。
【請求項１０】
さらに、式
【化５】
2013532749.tif 000005
の２，２，６，６−テトラアルキルピペリジン−１−オキシド、式
【化６】
2013532749.tif 000006
の１−ヒドロキシ−２，２，６，６−テトラアルキルピペリジン、式
【化７】
2013532749.tif 000007
の１−アルコキシ−２，２，６，６−テトラアルキルピペリジン、及び式
【化８】
2013532749.tif 000008
の１−アシルオキシ−２，２，６，６−ピペリジン
［式中、
Ｒa及びＲbの一方は、水素又はＮ−置換基を示し、かつ他方は、Ｏ−置換基又はＣ−置換基を示し、又は
Ｒa及びＲbの双方は、水素、Ｏ−置換基又はＣ−置換基を示し、
Ｒは、Ｃ1〜Ｃ20アルキル、Ｃ5〜Ｃ6シクロアルキル、又は追加の置換基を有するＣ2〜Ｃ20アルキル、Ｃ5〜Ｃ6シクロアルキルもしくはＣ2〜Ｃ20アルケニルを示し、
Ａｃは、Ｃ1〜Ｃ20カルボン酸のアシル基を示し、かつ
Ｒ1〜Ｒ4は、それぞれＣ1〜Ｃ4アルキルを示し、かつ
Ｒ5及びＲ6は、互いに独立して、水素、又はＣ1〜Ｃ4アルキル、Ｃ1〜Ｃ3アルキルフェニル及びフェニルからなる群から選択される置換基を示し、かつ
Ｒ5及びＲ6は一緒になってオキソを示す］からなる群から選択される、少なくとも１つのテトラアルキルピペリジン誘導体を含む、請求項１に記載の組成物。
【請求項１１】
さらに、少なくとも１つのテトラアルキルピペリジン誘導体ＩＩａ、ＩＩｂ、ＩＩｃ又はＩＩｄを含み、該誘導体ＩＩａ、ＩＩｂ、ＩＩｃ又はＩＩｄにおいて、
Ｒa及びＲbの一方は、水素又はＮ−置換基を示し、かつ他方はＯ−置換基又はＣ−置換基を示し、又は
Ｒa及びＲbの双方は、水素、Ｏ−置換基又はＣ−置換基を示し、
Ｒは、Ｃ1〜Ｃ8アルキル、Ｃ5〜Ｃ6シクロアルキル、又は追加の置換基を有するＣ2〜Ｃ8アルキル、Ｃ5〜Ｃ6シクロアルキルもしくはＣ2〜Ｃ8アルケニルを示し、
Ａｃは、Ｃ1〜Ｃ8カルボン酸のアシル基を示し、かつ
Ｒ1〜Ｒ4は、それぞれメチルであり、かつ
Ｒ5〜Ｒ6は、それぞれ水素を示す、請求項１０に記載の組成物。
【請求項１２】
さらに、少なくとも１つのテトラアルキルピペリジン誘導体ＩＩａ、ＩＩｂ、ＩＩｃ又はＩＩｄを含み、該誘導体ＩＩａ、ＩＩｂ、ＩＩｃ又はＩＩｄにおいて、
Ｒa及びＲbの一方は、水素又はＮ−置換基を示し、かつ他方はＯ−置換基又はＣ−置換基を示し、又は
Ｒa及びＲbの双方は、Ｏ−置換基又はＣ−置換基を示し、
Ｒは、Ｃ1〜Ｃ8アルキル、Ｃ5〜Ｃ6シクロアルキル、又はヒドロキシによって置換されたＣ2〜Ｃ8アルキル、Ｃ5〜Ｃ6シクロアルキルもしくはＣ2〜Ｃ8アルケニルを示し、
Ａｃは、Ｃ1〜Ｃ8カルボン酸のアシル基を示し、かつ
Ｒ1〜Ｒ4は、それぞれメチルであり、かつ
Ｒ5〜Ｒ6は、それぞれ水素を示す、請求項１０に記載の組成物。
【請求項１３】
さらに、
１−シクロヘキシルオキシ−２，２，６，６−テトラメチル−４−オクタデシルアミノピペリジン、
ビス（１−オクチルオキシ−２，２，６，６−テトラメチルピペリジン−４−イル）セバセート、
２，４−ビス［（１−シクロヘキシルオキシ−２，２，６，６−テトラメチルピペリジン−４−イル）ブチルアミノ］−６−（２−ヒドロキシエチルアミノ）−ｓ−トリアジン、
ビス（１−シクロヘキシルオキシ−２，２，６，６−テトラメチルピペリジン−４−イル）アジペート、
２，４−ビス［（１−シクロヘキシルオキシ−２，２，６，６−テトラメチルピペリジン−４−イル）ブチルアミノ］−６−クロロ−ｓ−トリアジン、
１−（２−ヒドロキシ−２−メチルプロポキシ）−４−ヒドロキシ−２，２，６，６−テトラメチルピペリジン、
１−（２−ヒドロキシ−２−メチルプロポキシ）−４−オキソ−２，２，６，６−テトラメチルピペリジン、
１−（２−ヒドロキシ−２−メチルプロポキシ）−４−オクタデカノイルオキシ−２，２，６，６−テトラメチルピペリジン、
ビス（１−（２−ヒドロキシ−２−メチルプロポキシ）−２，２，６，６−テトラメチルピペリジン−４−イル）セバセート、
ビス（１−（２−ヒドロキシ−２−メチルプロポキシ）−２，２，６，６−テトラメチルピペリジン−４−イル）アジペート、
２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン、
２，４−ビス［（１−シクロヘキシルオキシ−２，２，６，６−テトラメチルピペリジン−４−イル）ブチルアミノ］−６−クロロ−ｓ−トリアジンと、Ｎ，Ｎ’−ビス（３−アミノプロピル）エチレンジアミン）との反応生成物、
２，４−ビス［（１−シクロヘキシルオキシ−２，２，６，６−テトラメチルピペリジン−４−イル）ブチルアミノ］−６−（２−ヒドロキシエチルアミノ−ｓ−トリアジン、
４，４’−ヘキサメチレンビス（アミノ−２，２，６，６−テトラメチルピペリジン）と、２，４−ジクロロ−６−［（１−シクロヘキシルオキシ−２，２，６，６−テトラメチルピペリジン−４−イル）ブチルアミノ］−ｓ−トリアジンの縮合生成物であって、２−クロロ−４，６−ビス（ジブチルアミノ）−ｓ−トリアジンでエンドキャップされたオリゴマー化合物、
式
【化９】
2013532749.tif 000009
の化合物、
及び式
【化１０】
2013532749.tif 000010
［式中、ｎは１〜１５である］
からなる群から選択される、少なくとも１つのテトラアルキルピペリジン誘導体ＩＩｃ又はＩＩｄを含む、請求項１０に記載の組成物。
【請求項１４】
さらにポリマー基材を含む、請求項１に記載の組成物。
【請求項１５】
難燃性をポリマー基材に付与する方法であって、該方法が、ポリマー基材ｂ）に請求項１に記載の化合物（Ｉ）を添加することを含む方法。